【手続補正書】
【提出日】平成24年12月26日(2012.12.26)
【手続補正１】
【補正対象書類名】特許請求の範囲
【補正対象項目名】全文
【補正方法】変更
【補正の内容】
【特許請求の範囲】
【請求項１】
第一のアナログ信号を第一の周波数でデジタル変換してオリジナルデジタル信号を生成するオリジナルデジタル信号生成部と、
前記オリジナルデジタル信号を前記第一の周波数より高い第二の周波数でオーバーサンプリングするオーバーサンプル部と、
前記オーバーサンプリング後のデータ点を零補間して複数のイメージデジタル信号を生成する零値補間部と、
前記複数のイメージデジタル信号のうち、特定の周波数帯域を占有するイメージデジタル信号を選択する周波数軸イメージ選択部と、
前記選択された特定の周波数帯域を占有するイメージデジタル信号の該周波数帯域のノイズ除去及び波形整形を行い、第二のアナログ信号に変換して出力するデジタルアナログ変換部とを備えてなる
ことを特徴とする周波数変換回路。
【請求項２】
請求項１において、
前記デジタルアナログ変換部は、デルタ・シグマ変調回路で構成されており、
前記周波数軸イメージ選択部は、帯域通過型フィルタで構成されており、
前記デルタ・シグマ変調回路と前記帯域通過型フィルタによりデジタルユニットが構成され、
該デルタ・シグマ変調回路と該帯域通過型フィルタの信号伝達関数と雑音伝達関数の特性が、前記デジタルユニットの定数により決定される
ことを特徴とする周波数変換回路。
【請求項３】
請求項２において、
前記デルタ・シグマ変調回路は、
無遅延器Ｚ／(１−Ｚ)と遅延器１／(１−Ｚ)とが合成器を介して交互に従属接続されており、
前記各合成器には、入力信号が定数倍器を介して重み付けされフィードフォワード加算され、出力信号が他の定数倍器を介して重み付けされフィードバック減算され、
従属最終段の前記遅延器１／(１−Ｚ)の出力は量子化器である比較器を介して量子化され出力となり、
前記無遅延器Ｚ／(１−Ｚ)と前記合成器と前記遅延器１／(１−Ｚ)の経路には、重み付け局部フードバックループが形成された、デジタル回路ブロックを備えている
ことを特徴とする周波数変換回路。
【請求項４】
請求項２において、
前記遅延器１／(１−Ｚ)と前記合成器と前記無遅延器Ｚ／(１−Ｚ)の経路に、重み付け局部フードバックループが形成されている
ことを特徴とする周波数変換回路。
【請求項５】
請求項３において、
前記デルタ・シグマ変調回路は、
該デルタ・シグマ変調回路の雑音伝達関数が前記イメージデジタル信号の周波数帯域で極小値を示し、
該デルタ・シグマ変調回路の信号伝達関数が、前記比較器で生じる有限幅パルス信号のフーリエ変換に相当する波形歪を補正する、該波形歪の逆波形を該イメージデジタル信号の周波数帯域で実現する
ことを特徴とする周波数変換回路。
【請求項６】
請求項２において、
前記帯域通過型フィルタと前記デルタ・シグマ変調回路に、該帯域通過型フィルタおよび該デルタ・シグマ変調回路の定数変更をする機能を有する周波数設定器が結合されている
ことを特徴とする周波数変換回路。
【請求項７】
受信アンテナで受信した第一のアナログ信号の周波数を周波数変換回路で変換して第二のアナログ信号を生成し、該第二のアナログ信号を電力増幅器および送信アンテナを介して空間に放射する無線中継器であって、
前記周波数変換回路は、
前記第一のアナログ信号を第一のサンプリング周波数でデジタル変換し、変換後のオリジナルデジタル信号を前記第一のサンプリング周波数より高い第二のサンプリング周波数でオーバーサンプリングし、該オーバーサンプリング後のデータ点を零補間し、該零補間により生成される複数のイメージデジタル信号のうち特定の周波数帯域を占有するイメージデジタル信号をデジタルフィルタにより抽出し、該抽出されたイメージデジタル信号を前記第二のアナログ信号に変換して出力する
ことを特徴とする無線中継器。
【請求項８】
請求項７において、
前記周波数変換回路は、
前記第一のアナログ信号を第一の周波数でデジタル変換してオリジナルデジタル信号を生成するアナログデジタル変換器と、
前記オリジナルデジタル信号を前記第一の周波数より高い第二の周波数でオーバーサンプリングするオーバーサンプル部と、
前記オーバーサンプリング後のデータ点を零補間して複数のイメージデジタル信号を生成する零値補間部と、
前記零値補間により生成された前記複数のイメージデジタル信号のうち、特定の周波数帯域を占有するイメージデジタル信号を選択する周波数軸イメージ選択部と、
前記選択された特定のイメージデジタル信号の周波数帯のノイズ除去及び波形整形を行い、前記第二のアナログ信号として前記電力増幅器に出力するデジタルアナログ変換部とを備えている
ことを特徴とする無線中継器。
【請求項９】
請求項８において、
前記デジタルアナログ変換部は、デルタ・シグマ型デジタルアナログ変換器で構成されており、
前記デルタ・シグマ型デジタルアナログ変換器は、
無遅延器Ｚ／(１−Ｚ)と遅延器１／(１−Ｚ)とが合成器を介して交互に従属接続されており、
前記各合成器には、入力信号が定数倍器を介して重み付けされフィードフォワード加算され、出力信号が他の定数倍器を介して重み付けされフィードバック減算され、
従属最終段の前記遅延器１／(１−Ｚ)の出力は量子化器である比較器を介して量子化され出力となり、
前記無遅延器Ｚ／(１−Ｚ)と前記合成器と前記遅延器１／(１−Ｚ)の経路には、重み付け局部フードバックループが形成された、デジタル回路ブロックを備えている
ことを特徴とする無線中継器。
【請求項１０】
請求項８において、
前記周波数軸イメージ選択部は、帯域通過型フィルタで構成されており、
局部発振器とミキサで構成されるアナログ周波数変換回路を具備し、さらに
前記帯域通過型フィルタ及び前記デルタ・シグマ型デジタルアナログ変換器のデジタル回路ブロックの定数を変更する周波数設定器を具備し、
前記低雑音増幅器の出力を前記周波数変換回路によって別の周波数に変換したのち、該アナログ信号を増幅し、該アナログ信号を前記第一の周波数でデジタル変換して前記オリジナルデジタル信号を生成する
ことを特徴とする無線中継器。
【請求項１１】
請求項１０において、
復調器を具備し、
前記受信信号に含まれる送信周波数制御信号を前記復調器により復調し、該復調信号を用いて前記イメージ選択用の帯域通過型フィルタおよび前記デルタ・シグマ型デジタルアナログ変換器のデジタル回路ブロックの定数を該送信周波数制御信号により前記無線中継器の外部より変更する
ことを特徴とする無線中継器。
【請求項１２】
ハブ基地局と、少なくとも１つの無線中継器とを備え、
前記ハブ基地局は、送信アンテナから第一のアナログ信号を放射し、
前記各無線中継器は、受信アンテナで受信した第一のアナログ信号の周波数を周波数変換回路で変換して第二のアナログ信号を生成し、該第二のアナログ信号を電力増幅器および送信アンテナを介して空間に放射するものであって、
前記各無線中継器は、
前記第一のアナログ信号を第一のサンプリング周波数でデジタル変換し、変換後のオリジナルデジタル信号を前記第一のサンプリング周波数より高い前記第二のサンプリング周波数でオーバーサンプリングし、オーバーサンプリング後のデータ点を零補間し、零補間により生成される複数のイメージデジタル信号のうち特定の周波数帯域を占有するイメージデジタル信号をデジタルフィルタにより抽出し、該イメージデジタル信号を前記周波数変換回路で前記第二のアナログ信号に変換して出力する
ことを特徴とする無線中継システム。
【請求項１３】
請求項１２において、
前記周波数変換回路は、
前記第一のアナログ信号を第一の周波数でデジタル変換してオリジナルデジタル信号を生成するアナログデジタル変換器と、
前記オリジナルデジタル信号を前記第一の周波数より高い第二の周波数でオーバーサンプリングするオーバーサンプル部と、
前記オーバーサンプリング後のデータ点を零補間して複数のイメージデジタル信号を生成する零値補間部と、
前記零値補間により生成された前記複数のイメージデジタル信号のうち、特定の周波数帯域を占有するイメージデジタル信号を選択する周波数軸イメージ選択部と、
前記選択された特定のイメージデジタル信号の周波数帯のノイズ除去及び波形整形を行い、前記第二のアナログ信号として前記電力増幅器に出力するデルタ・シグマ型デジタルアナログ変換器とを備えており、
前記ハブ基地局は、信号発生器と低雑音増幅器と局部発振器とミキサで構成されるアナログ周波数変換回路と、チャネル設定信号発生器と変調器と局部発振器と合成器とを具備しており、
前記信号発生器が生成する信号を前記低雑音増幅器により増幅し、前記チャネル設定信号発生器の出力を前記変調器と前記局部発振器とにより前記信号発生器が生成する信号の周波数帯域内のチャネルの周波数帯域外の周波数に変換して合成し、
前記周波数変換回路によって無線伝送可能な周波数に搬送波の周波数を変換する
ことを特徴とする無線中継システム。
【請求項１４】
請求項１３において、
前記各無線中継器は、復調器及びタイマを有しており
前記復調器には前記タイマの閾値が記憶され、
前記復調器が受信信号を復調し、前記チャネル設定信号を検出し、該チャネル設定信号が設定すべき信号の周波数帯域に信号がない場合に、前記タイマの閾値を超える時間間隔で、前記チャネル設定信号で指定される周波数帯域に送信波の周波数帯域を変更する
ことを特徴とする無線中継システム。